(57)【要約】【課題】複数のラックを連結する際、各ラックの位置を迅速且つ正確に調整でき、連結作業を短縮できる電子機器収納用ラックの連結構造を提供する。【解決手段】各ラック１１ａ〜１１ｇは、４本のフレーム柱１３を主体とするラックフレーム１２によって所定の大きさに形成され、底部の四隅にアジャスタ１４及びキャスタ１５を備える。フレーム柱１３の側面には、上下方向に沿って所定深さの前部溝１６及び後部溝１７を設け、溝１６、１７には３つの金属板１８ａ〜１８ｃを皿ネジ１９により固定する。金属板１８ａ〜１８ｃは、長さを溝１６、１７の全長の１／３、厚さを溝１６、１７の深さの２倍に設定し、前部溝１６及び後部溝１７に互い違いに装着し、且つ隣接ラック間においても互い違いになるように装着する。ラックを連結する際、隣接するラックの金属板１８ａ〜１８ｃが干渉しないようにアジャスタ１４を調整し、ラック同士を合わせて連結する。【選択図】図４
2009206350.tif 000002
【特許請求の範囲】
【請求項１】
４本のフレーム柱を主体とするラックフレームによって所定の大きさに形成されたラックと、前記ラックの底部の四隅に設けられるアジャスタと、前記フレーム柱に設けられ、隣接するラックとの間をボルトによって連結する複数の連結部と、隣接するラックに対向する前記フレーム柱の側面に上下方向に沿って設けられる所定深さの溝と、前記溝の全長を複数に分割した長さ及び前記溝の深さの２倍以下の厚さを有し、隣接するラック間において互い違いになるように前記溝に装着される帯状の連結用金属板とを具備し、
前記隣接するラック間における前記連結用金属板の位置に基づいて前記アジャスタによる位置調整を可能としたことを特徴とする電子機器収納用ラックの連結構造。
【発明の詳細な説明】
【技術分野】
【０００１】
本発明は、例えばサーバー等の電子機器を収納するラックを複数連結する電子機器収納用ラックの連結構造に関する。
【背景技術】
【０００２】
従来、例えばサーバー等の電子機器を収納するラックは、複数連結して使用する場合がある。上記のように複数の電子機器収納用ラックを連結する場合、従来では各ラックのフレームに連結用金具を設け、ラックの底部に設けられているアジャスタを調整して各ラックの高さを均一にし、その後、上記連結用金具のボルト穴にボルトを挿入し、ラック同士を固定、連結するようにしている。
【０００３】
また、本発明に関連する公知技術として、複数の収納ラックを連結して設置する際、隣接する１組の収納ラックの一方に凹部を設け、他方に凸部を設け、該凸部と前記凹部を嵌合可能とし、前記収納ラック間に締結解除可能な締結具を設けてなる収納ラックの連結構造が知られている（例えば、特許文献１参照。）。
【特許文献１】特開２００４−２００４９２号公報
【発明の開示】
【発明が解決しようとする課題】
【０００４】
複数の電子機器収納用ラックを連結して使用する場合、設置場所の状態や各ラックの重量等の違いにより連結用金具に設けられたボルト穴の位置がずれるので、このボルト穴の位置を合わせる必要がある。このため従来では上記したようにラックの底部に設けられているアジャスタを調整し、隣接するラックに設けられている連結用金具のボルト穴の位置が一致するようにしている。
【０００５】
しかし、上記従来のように連結用金具のボルト穴の位置を目視により確認しながらアジャスタを調整する方法では、ボルト穴の位置を正確に調整することが困難であると共に、調整に時間が掛かるという問題があった。
【０００６】
本発明は上記の課題を解決するためになされたもので、各ラックに設けられている連結用金具のボルト穴の位置を迅速且つ正確に調整することができ、ラックの連結作業を短時間で行うことができる電子機器収納用ラックの連結構造を提供することを目的とする。
【課題を解決するための手段】
【０００７】
本発明に係る電子機器収納用ラックの連結構造は、４本のフレーム柱を主体とするラックフレームによって所定の大きさに形成されたラックと、前記ラックの底部の四隅に設けられるアジャスタと、前記フレーム柱に設けられ、隣接するラックとの間をボルトによって連結する複数の連結部と、隣接するラックに対向する前記フレーム柱の側面に上下方向に沿って設けられる所定深さの溝と、前記溝の全長を複数に分割した長さ及び前記溝の深さの２倍以下の厚さを有し、隣接するラック間において互い違いになるように前記溝に装着される帯状の連結用金属板とを具備し、前記隣接するラック間における前記連結用金属板の位置に基づいて前記アジャスタによる位置調整を可能としたことを特徴とする。
【発明の効果】
【０００８】
本発明によれば、各ラックを構成するフレーム柱の側部に上下方向に沿って溝を設け、この溝に所定長さの連結用金属板を各ラック間で互い違いになるように装着することにより、上記金属板の位置によって隣接するラック同士の高さ及び前後方向の位置が自動的に決まるので、ラックの高さを調整する作業が容易となる。
【０００９】
また、ラック同士の固定による負荷が連結部のボルトだけでなく連結用金属板にも掛かるため、負荷の分散を図ることができ、経年変化による位置ずれを防止することができる。
【発明を実施するための最良の形態】
【００１０】
以下、図面を参照して本発明の一実施形態を説明する。
【００１１】
図１は本発明の一実施形態に係る複数の電子機器収納用ラックを連結した状態を示す正面図である。図２は同実施形態におけるラック単体の構成を示し、（ａ）は正面図、（ｂ）は側面図である。図３は隣接する２つのラックの連結構造を示す正面図である。図４（ａ）は図３におけるＡ矢視図、図４（ｂ）は図３におけるＢ矢視図である。図５は２つのラックを連結した時の水平面断面図である。図６は図５におけるラック連結部を拡大して示す図である。
【００１２】
図１は複数例えば７つの電子機器収納用ラック１１ａ〜１１ｇを連結した状態を示している。各ラック１１ａ〜１１ｇは、例えば４本の柱からなるラックフレーム１２によって所定の幅、奥行き、高さを有する大きさ（４本柱タイプ）に形成され、サーバー等の所定規格の大きさを有する電子機器を複数段に収納できるように構成されている。上記ラックフレーム１２は、四隅に設けられる４本のフレーム柱１３を主体として構成される。上記ラックフレーム１２の底部には、四隅に高さ調整用のアジャスタ１４が設けられると共にその内側にラック移動用の４つのキャスタ１５が設けられる。
【００１３】
また、上記フレーム柱１３の側面、すなわち隣接するラックに対向する面には、図４に示すように上下方向に沿って所定深さの前部溝１６及び後部溝１７が全長に亘って設けられる。上記前部溝１６は前面側のフレーム柱１３に設けられる溝であり、後部溝１７は背面側のフレーム柱１３に設けられる溝である。
【００１４】
上記前部溝１６及び後部溝１７には、所定の厚さを有する複数例えば３つの連結用金属板１８ａ〜１８ｃが皿ネジ１９により固定される。上記金属板１８ａ〜１８ｃは、長さが上記溝１６、１７の全長の１／３、厚さが溝１６、１７の深さの２倍に設定されて帯状に形成されている。なお、金属板１８ａ〜１８ｃの厚さは、溝１６、１７の深さの２倍より少し薄くても良い。
【００１５】
上記金属板１８ａ〜１８ｃは、図３及び図４に示すように前部溝１６及び後部溝１７に互い違いに装着し、且つ、隣接ラック間においても互い違いになるように装着する。例えば最初のラック１１ａにおいては、右側面において前部のフレーム柱１３に設けられる前部溝１６に対し、上部及び下部に金属板１８ａ、１８ｃを装着し、後部のフレーム柱１３に設けられる後部溝１７の中央部に金属板１８ｂを装着する。
【００１６】
また、上記ラック１１ａの右側に隣接するラック１１ｂにおいては、後部のフレーム柱１３に設けられる後部溝１７に対し、上部及び下部に金属板１８ａ、１８ｃを装着し、前部のフレーム柱１３に設けられる前部溝１６の中央部に金属板１８ｂを装着する。この場合、隣接ラック同士における金属板１８ａ〜１８ｃの取付け寸法は、例えば公差０．５〜１．０ｍｍとし、互い違いに合わさるように設定する。なお、上記したように金属板１８ａ〜１８ｃを皿ネジ１９によりフレーム柱１３の溝１６、１７に固定することにより、金属板１８ａ〜１８ｃの取付け誤差を少なくして精度を向上することができる。
【００１７】
上記金属板１８ａ〜１８ｃは、溝１６、１７内より突出して設けられるが、隣接するラックと連結した際、突出部分が互いに隣接するラックの溝１６、１７内に収納される。
【００１８】
以下同様に、全てのラック１１ａ〜１１ｇにおいて、各フレーム柱１３に設けた前部溝１６及び後部溝１７に対し、各隣接ラック間で金属板１８ａ〜１８ｃが互い違いとなるように装着する。
【００１９】
また、図３に示すように隣接するラック１１ａ〜１１ｇ間のフレーム柱１３には、前面及び背面にそれぞれ複数例えば４個のクリップ式留め金具２１を所定の間隔で装着する。上記クリップ式留め金具２１は、クリップ留め具２２ａと受具２２ｂが対となっており、例えば各ラック１１ａ〜１１ｇの右側に位置するフレーム柱１３の前面に受具２２ｂを例えばネジ止めにより固定し、各ラック１１ａ〜１１ｇの左側に位置するフレーム柱１３の前面にクリップ留め具２２ａをネジ止めにより固定する。
【００２０】
上記クリップ式留め金具２１は、図６に示すように構成されている。すなわち、クリップ留め具２２ａは、軸２３を中心として回動可能に設けられたレバー２５と、上記レバー２５の回動操作に伴って左右方向に移動するフック２６を備えている。また、受具２２ｂは、上記クリップ留め具２２ａのフック２６を係止するための係止部２７を備えている。
【００２１】
上記クリップ式留め金具２１によりラック間を連結する際は、クリップ留め具２２ａのレバー２５を手前に引いてロック状態を解除し、フック２６を受具２２ｂの係止部２７に係止させた後、レバー２５をラック方向に回動操作してロック状態とし、隣接するラック間を連結する。
【００２２】
更に各ラック１１ａ〜１１ｇのフレーム柱１３には、図３及び図５図６に示すように内側に複数箇所例えば上部、中央部、下部の３箇所にラック連結部３０が設けられる。このラック連結部３０には、フレーム柱１３に内側に連結板３１が所定長さ突出して設けられる。上記連結板３１は、前部に位置するフレーム柱１３においては後部方向に突出して設けられ、後部に位置するフレーム柱１３においては前部方向に突出して設けられる。また、各連結板３１は、隣接するラックのフレーム柱１３を当接させた場合に、所定の間隔で対向するように設けられる。上記各連結板３１には、ボルト穴３２が設けられる。２つのラックを連結する場合は、図６に示すように各ラックに設けられた連結板３１のボルト穴３２にボルト３３を挿入し、ナット３４により固定する。この場合、ボルト３３及びナット３４は、連結用金具３５を介在して連結板３１間を連結する。
【００２３】
上記のように構成されたラック１１ａ〜１１ｇの連結は、次のようにして行う。
【００２４】
（ａ）ラック１１ａ〜１１ｇを隣接して配置する。
【００２５】
（ｂ）ラック１１ａ、１１ｂに設けた金属板１８ａ〜１８ｃが干渉しないようにアジャスタ１４を調整し、ラック同士を合わせる。このとき金属板１８ａ〜１８ｃの位置に合わせてアジャスタ１４を調整できるので、ラック１１ａ、１１ｂの高さ調整を容易に行うことができる。
【００２６】
（ｃ）上記（ｂ）におけるアジャスタ１４の調整により、ラック連結部３０の連結板３１に設けたボルト穴３２の位置が一致した状態となるので、ボルト穴３２にボルト３３を通してナット３４を螺着し、締め付けて隣接するラック間を連結する。上記金属板１８ａ〜１８ｃは、フレーム柱１３の溝１６、１７から突出しているが、ラック１１ａ、１１ｂを連結した際、上記金属板１８ａ〜１８ｃの突出部分が連結したラック１１ａ、１１ｂの溝１６、１７内に互いに収納される。
【００２７】
（ｄ）ラック１１ａ、１１ｂにおけるアジャスタ１４の調整を再度行い、ラック１１ａ、１１ｂ全体が平行になるように高さを微調整する。
【００２８】
（ｅ）ラック１１ａ、１１ｂに設けたクリップ式留め金具２１によりラック１１ａ、１１ｂを連結させ、ラック同士を固定する。
【００２９】
（ｆ）ラック１１ｃ〜１１ｇについても、上記（ｂ）〜（ｅ）の操作を行って各ラック間を連結して固定する。
【００３０】
以上の操作によりラック１１ａ〜１１ｇを図１に示したように連結することができる。
【００３１】
上記実施形態で示したように、各ラック１１ａ、１１ｂ、…を構成するフレーム柱１３の側部に金属板１８ａ〜１８ｃを各ラック間で互い違いになるように設けることにより、隣接するラック同士の高さ及び前後方向の位置が自動的に決まるため、ラック１１ａ、１１ｂ、…の高さを調整する作業が容易となる。すなわち、金属板１８ａ〜１８ｃは、フレーム柱１３の溝１６、１７に設け、この溝１６、１７から突出している部分が隣接するラックの溝１６、１７内に互いに嵌入されるようにしているので、各ラック１１ａ、１１ｂ、…の上下方向及び前後方向の位置を金属板１８ａ〜１８ｃがはまる位置に限定させることができ、調整作業を容易に行うことができる。
【００３２】
また、ラック同士の固定による負荷がクリップ式留め金具２１及びボルト３３だけでなく金属板１８ａ〜１８ｃにも掛かるため、負荷の分散を図ることができ、経年変化による位置ずれが生じ難くなる。
【００３３】
なお、上記実施形態では、７つのラック１１ａ〜１１ｇを連結する場合について説明したが、更に多数のラックを連結する場合であっても、上記実施形態と同様にして実施することが可能である。
【００３４】
本発明は、上記実施形態そのままに限定されるものではなく、実施段階ではその要旨を逸脱しない範囲で構成要素を変形して具体化できるものである。
【図面の簡単な説明】
【００３５】
【図１】本発明の一実施形態に係る複数の電子機器収納用ラックを連結した状態を示す正面図である。
【図２】同実施形態におけるラック単体の構成を示し、（ａ）は正面図、（ｂ）は側面図である。
【図３】同実施形態における隣接する２つのラックの連結構造を示す正面図である。
【図４】（ａ）は図３におけるＡ矢視図、（ｂ）は図３におけるＢ矢視図である。
【図５】同実施形態において、２つのラックを連結した時の水平面断面図である。
【図６】図５におけるラック連結部を拡大して示す図である。
【符号の説明】
【００３６】
１１ａ〜１１ｇ…電子機器収納用ラック、１２…ラックフレーム、１３…フレーム柱、１４…アジャスタ、１５…キャスタ、１６…前部溝、１７…後部溝、１８ａ〜１８ｃ…連結用金属板、１９…皿ネジ、２１…クリップ式留め金具、２２ａ…クリップ留め具、２２ｂ…受具、２３…軸、２５…レバー、２６…フック、２７…係止部、３０…ラック連結部、３１…連結板、３２…ボルト穴、３３…ボルト、３４…ナット、３５…連結用金具。
【図１】
2009206350.tif 000003
【図２】
2009206350.tif 000004
【図３】
2009206350.tif 000005
【図４】
2009206350.tif 000006
【図５】
2009206350.tif 000007
【図６】
2009206350.tif 000008